(57)【特許請求の範囲】
【請求項１】
液体を収容する容器の開口部に注口を有したキャップを着脱自在に装着可能とすると共に、キャップは、液体の流通路の中途に形成した底壁部の固定側底壁に揺動連結溝を介して開口自在枢支した閉塞体と、流通路の終端部分端面に直角方向に形成したタレ防止フランジと、流通路との間に流通間隙を保持して流通路の終端に嵌着自在とした別体の補助流路キャップと、補助流路キャップの天板を伸延してタレ防止フランジとの間に一定の注ぎ空間を形成する注口フランジと、より構成してなり、
前記閉塞体に、前記揺動連結溝の伸延方向と直交する方向に伸延させて同揺動連結溝側へ下り傾斜とした第２斜部を形成する一方、
前記閉塞体が開口されたとき前記第２斜部と係合して前記閉塞体を前記固定側底壁に対して直角に係止する突片斜部を前記補助流路キャップの下部に設けたことを特徴とする液垂れ防止用キャップ。
【請求項２】
注口は、容器中に連通した流通路と、流通路の終端に形成した開口端部とを備え、開口端部の上端縁と下端縁とにそれぞれ流通路と直角方向に注口フランジとタレ防止フランジとを突設したことを特徴とする請求項１に記載の液垂れ防止用キャップ。
【請求項３】
補助流路キャップの流通間隙に面した部分に仕切壁を突設し、仕切壁の下端は、補助流路キャップをキャップ流通路の下端に嵌着した場合に液体の流通路の中途に形成した閉塞体を開放すべく構成してなることを特徴とする請求項１又は請求項２に記載の液垂れ防止用キャップ。
【請求項４】
前記補助流路キャップは、前記底壁部と同底壁部によって下方が閉塞される円筒状の装着部周壁体とで構成された補助流路キャップ装着部の内方の補助流路キャップ装着空間に嵌着されるものであり、
前記タレ防止フランジを前記装着部周壁体の上端周縁略半部に設け、残り半部を前記タレ防止フランジの上縁よりも低い低縁部として、前記タレ防止フランジと前記低縁部との間に段差部を形成する一方、
前記補助流路キャップの注口フランジの対向位置となる上部背面側に、前記段差部と当接して前記補助流路キャップの前記補助流路キャップ装着空間内での周回り方向への回動を規制する低縁部当接体を形成したことを特徴とする請求項１〜３いずれか１項に記載の液垂れ防止用キャップ。
【発明の詳細な説明】
【技術分野】
【０００１】
本発明は、液垂れ防止用キャップに関する。
【背景技術】
【０００２】
従来、化粧水を収容する容器のように、内容液を手のひらや小分けの容器に注出することの多いボトル容器の開口部には、注口を備えたキャップが取り付けられている。【０００３】
このようなキャップには、例えば、所定量注出可能に構成したものなど、種々の機能を付与したものが提案されている（例えば、特許文献１参照。）。
【先行技術文献】
【特許文献】
【０００４】
【特許文献１】特開２０１１−７３７３８号公報
【発明の概要】
【発明が解決しようとする課題】
【０００５】
しかしながら、上記従来のキャップでは、内容液の注出後に液垂れが発生しやすく、注口近傍を汚してしまう事態が多発していた。【０００６】
本発明は、斯かる事情に鑑みてなされたものであって、液垂れを効果的に防止することのできる液垂れ防止用キャップを提供する。
【課題を解決するための手段】
【０００７】
上記従来の課題を解決するために、本発明に係る液垂れ防止用キャップでは、液体を収容する容器の開口部に注口を有したキャップを着脱自在に装着可能とすると共に、キャップは、液体の流通路の中途に形成した底壁部の固定側底壁に揺動連結溝を介して開口自在枢支した閉塞体と、流通路の終端部分端面に直角方向に形成したタレ防止フランジと、流通路との間に流通間隙を保持して流通路の終端に嵌着自在とした別体の補助流路キャップと、補助流路キャップの天板を伸延してタレ防止フランジとの間に一定の注ぎ空間を形成する注口フランジと、より構成してなり、前記閉塞体に、前記揺動連結溝の伸延方向と直交する方向に伸延させて同揺動連結溝側へ下り傾斜とした第２斜部を形成する一方、前記閉塞体が開口されたとき前記第２斜部と係合して前記閉塞体を前記固定側底壁に対して直角に係止する突片斜部を前記補助流路キャップの下部に設けることとした。【０００８】
また、注口は、容器中に連通した流通路と、流通路の終端に形成した開口端部とを備え、開口端部の上端縁と下端縁とにそれぞれ流通路と直角方向に注口フランジとタレ防止フランジとを突設したことにも特徴を有する。
【０００９】
また、補助流路キャップの流通間隙に面した部分に仕切壁を突設し、仕切壁の下端は、補助流路キャップをキャップ流通路の下端に嵌着した場合に液体の流通路の中途に形成した閉塞体を開放すべく構成してなることにも特徴を有する。
また、前記補助流路キャップは、前記底壁部と同底壁部によって下方が閉塞される円筒状の装着部周壁体とで構成された補助流路キャップ装着部の内方の補助流路キャップ装着空間に嵌着されるものであり、前記タレ防止フランジを前記装着部周壁体の上端周縁略半部に設け、残り半部を前記タレ防止フランジの上縁よりも低い低縁部として、前記タレ防止フランジと前記低縁部との間に段差部を形成する一方、前記補助流路キャップの注口フランジの対向位置となる上部背面側に、前記段差部と当接して前記補助流路キャップの前記補助流路キャップ装着空間内での周回り方向への回動を規制する低縁部当接体を形成した。
【発明の効果】
【００１０】
本発明では、液体を収容する容器の開口部に注口を有したキャップを着脱自在に装着可能とすると共に、キャップは、液体の流通路の中途に形成した底壁部の固定側底壁に揺動連結溝を介して開口自在枢支した閉塞体と、流通路の終端部分端面に直角方向に形成したタレ防止フランジと、流通路との間に流通間隙を保持して流通路の終端に嵌着自在とした別体の補助流路キャップと、補助流路キャップの天板を伸延してタレ防止フランジとの間に一定の注ぎ空間を形成する注口フランジと、より構成してなり、前記閉塞体に、前記揺動連結溝の伸延方向と直交する方向に伸延させて同揺動連結溝側へ下り傾斜とした第２斜部を形成する一方、前記閉塞体が開口されたとき前記第２斜部と係合して前記閉塞体を前記固定側底壁に対して直角に係止する突片斜部を前記補助流路キャップの下部に設けることとしたため、液垂れを効果的に防止することができる。【００１１】
また、注口は、容器中に連通した流通路と、流通路の終端に形成した開口端部とを備え、開口端部の上端縁と下端縁とにそれぞれ流通路と直角方向に注口フランジとタレ防止フランジとを突設したため、さらに効果的に液垂れを防止することができる。
【００１２】
また、補助流路キャップの流通間隙に面した部分に仕切壁を突設し、仕切壁の下端は、補助流路キャップをキャップ流通路の下端に嵌着した場合に液体の流通路の中途に形成した閉塞体を開放すべく構成したため、さらに効果的に液垂れを防止することができる。
また、前記補助流路キャップは、前記底壁部と同底壁部によって下方が閉塞される円筒状の装着部周壁体とで構成された補助流路キャップ装着部の内方の補助流路キャップ装着空間に嵌着されるものであり、前記タレ防止フランジを前記装着部周壁体の上端周縁略半部に設け、残り半部を前記タレ防止フランジの上縁よりも低い低縁部として、前記タレ防止フランジと前記低縁部との間に段差部を形成する一方、前記補助流路キャップの注口フランジの対向位置となる上部背面側に、前記段差部と当接して前記補助流路キャップの前記補助流路キャップ装着空間内での周回り方向への回動を規制する低縁部当接体を形成したため、さらに効果的に液垂れを防止することができる。
【図面の簡単な説明】
【００１３】
【図１】本実施形態に係る液垂れ防止用キャップとしてのキャップの外観を示した説明図である。
【図２】上面視におけるキャップ本体を示した説明図である。
【図３】図２におけるＡ−Ａ断面図である。
【図４】斜め上方から見た補助流路キャップを示した説明図である。
【図５】斜め下方から見た補助流路キャップを示した説明図である。
【図６】補助流路キャップの上面、下面、前面、後面、右側面を示した説明図である。
【図７】キャップの動作を示した説明図である。
【発明を実施するための形態】
【００１４】
以下、本実施形態に係る液垂れ防止用キャップについて、図面を参照しながら説明する。
【００１５】
図１は、本実施形態に係る液垂れ防止用キャップとしてのキャップＡの外観を示した説明図である。図１に示すように、キャップＡは、内部に化粧水を収容したボトル入り化粧水１０のボトル１１の開口１２に装着されており、キャップＡに備えられた注口１３から、キャップＡの内部に形成される流通路を介して化粧水を取り出し可能としている。
【００１６】
キャップＡは、ボトル１１の開口１２に装着されたキャップ本体１５と、同キャップ本体１５に着脱自在に装着された補助流路キャップ１７とで構成している。なお、図中符号１６は、キャップ本体１５の上部を覆うカバー体１６である。
【００１７】
まず、キャップ本体１５の構成について説明する。図２は上面視におけるキャップ本体１５を示した説明図であり、図３は図２におけるＡ−Ａ断面図である。
【００１８】
図２及び図３に示すように、キャップ本体１５は、ボトル１１の開口１２に嵌着される基部２０と、補助流路キャップ１７が装着される補助流路キャップ装着部２１とで構成している。
【００１９】
基部２０は、ボトル１１に装着した際に開口１２の上方で水平方向に伸延する平面視円形状の中間壁１９と、同中間壁１９の外縁より下方へ垂設した開口１２の外径と略同径の内径を有する基部周壁体２２と、同基部周壁体２２の内方に同心軸状に中間壁１９より下方へ向けて垂設された開口１２の内径と略同径の外径を有する内壁体２３とを備えており、同基部周壁体２２及び内壁体２３との間には、ボトル１１の開口１２の周壁を嵌入させる嵌入溝２４が形成されている。
【００２０】
また、内壁体２３の内方は、ボトル１１内に収容されている化粧水が流通する基部流通空間２８としている。
【００２１】
また、基部周壁体２２の下部近傍には、同基部周壁体２２の内方へ向けて膨出させた膨大部２５が形成されており、開口１２の周壁に設けられている肉薄部分（図示せず）と係合して、キャップ本体１５をボトル１１に着脱自在、且つ、キャップ本体１５がボトル１１から容易に脱落しないよう構成している。
【００２２】
中間壁１９の上面外縁近傍には、上方へ立ち上げて形成した周壁状のカバー体装着壁２６が備えられている。このカバー体装着壁２６は、カバー体１６を係止するための部位であり、その外径は、カバー体１６の内径と略同径としている。
【００２３】
また、カバー体装着壁２６の上端部には外方へ膨出する周縁凸部２７が形成されており、カバー体１６の内周面に形成されている溝部（図示せず）に係合させることで、カバー体１６を開閉自在に係止可能としている。
【００２４】
補助流路キャップ装着部２１は、内壁体２３と同心軸状に中間壁１９を貫通させた状態で配設した装着部周壁体３０と、同装着部周壁体３０の下方を閉塞する底壁部３１とで構成しており、その内方を補助流路キャップ装着空間３２としている。
【００２５】
装着部周壁体３０は、内壁体２３の内径よりも小さい外径とした筒状としており、図２にも示すように、その上端周縁の略半部は、半径方向外方へ向けて略直角方向に湾曲させつつ突出させ、さらに先端を下方へ向けて湾曲状としたタレ防止フランジ３３が備えられている。また、装着部周壁体３０の上端周縁の残り半部は、タレ防止フランジ３３の上縁よりもやや低く形成された低縁部３４としており、タレ防止フランジ３３と低縁部３４との間には、段差部３５が設けられている。
【００２６】
また、低縁部３４が備えられている装着部周壁体３０の内周壁面には、補助流路キャップ装着部２１に装着された補助流路キャップ１７の周方向への回動を規制する凸条部３６が上下方向へ向けて形成されており、その上端は装着部周壁体３０の内方へ向けて下り方向に傾斜したテーパが形成されている。
【００２７】
底壁部３１は、ボトル１１内に収容されている内容液（本実施形態では化粧水）をボトル１１外と仕切る役割を有する部位であり、低縁部３４側に形成された固定側底壁３７と、タレ防止フランジ３３側に形成された揺動側底壁３８とで構成している。
【００２８】
固定側底壁３７は、装着部周壁体３０に十分な強度で連設された上面視半円形状の部位であり、後に詳述するが、補助流路キャップ１７が押下された際に、補助流路キャップ１７の下部と当接して下方への更なる移動を規制する当接座部の一つとして機能する。
【００２９】
揺動側底壁３８は、上面視半円形状の部位であり、その周縁には装着部周壁体３０に沿って刻設された半円弧状の切断溝４０と、固定側底壁３７との隣接部位に刻設された直線状の揺動連結溝４１とが備えられている。
【００３０】
切断溝４０は、揺動側底壁３８が上部から押圧された際に、容易に切断される溝であり、揺動連結溝４１は折溝の役割を担う溝である。したがって、揺動側底壁３８が上部から押圧されると、揺動側底壁３８は、揺動連結溝４１にて固定側底壁３７に連結した状態で、基部流通空間２８側へ落ち込んで、補助流路キャップ装着空間３２と基部流通空間２８とが連通し開栓された状態となる。すなわち、揺動側底壁３８は、開口自在の閉塞体として機能する。
【００３１】
また、揺動側底壁３８の略中央部には、揺動連結溝４１の伸延方向と略直交する方向に伸延させて形成した当接突起部４３が備えられている。
【００３２】
当接突起部４３は、補助流路キャップ１７が押し込まれた際に、揺動側底壁３８の落とし込みを補助したり、揺動側底壁３８を開栓状態に保持する役割を有する部位であり、同当接突起部４３の頂部から、タレ防止フランジ３３を備えた装着部周壁体３０側へ下り傾斜とした第１斜部４４と、頂部から揺動連結溝４１へ下り傾斜とした第２斜部４５とを備えている。
【００３３】
第１斜部４４は、第２斜部４５よりも緩やかに形成されており、第２斜部４５は略４５度の角度としている。
【００３４】
次に、補助流路キャップ装着部２１に装着される補助流路キャップ１７の構成について図４〜図６を参照しながら説明する。図４は斜め上方から見た補助流路キャップ１７を示した説明図、図５は斜め下方から見た補助流路キャップ１７を示した説明図、図６は補助流路キャップ１７の上面、下面、前面、後面、右側面を示した説明図である。
【００３５】
補助流路キャップ１７は、図４〜図６に示すように、装着部周壁体３０の内径と略同径の外径を有する略円筒形状の胴壁体５０と、同胴壁体５０の上面に配設された天板５１とを備えている。
【００３６】
天板５１は、上面視略円形状とした板状の部材であり、その前部において前方に向けて伸延して形成した上側フランジとしての注口フランジ５６を備えている。
【００３７】
胴壁体５０は、図６の右側面図にも示すように、下方後半部を水平に構成する一方、下方前半部を前方へ向けて下り傾斜状に構成している。
【００３８】
また、胴壁体５０は、注口フランジ５６の下方において、上下方向へ伸延する断面視略Ｕ字状の流通溝５２を２本備えており、同流通溝５２の間には仕切壁５３が形成されている。
【００３９】
流通溝５２は、揺動側底壁３８が落とし込まれて開栓状態となった際に、内容液を流通させるための溝であり、補助流路キャップ１７の下部から天板５１の裏面に至るまで形成されている。
【００４０】
仕切壁５３は、２本の流通溝５２の間に形成された上下方向に伸延する板状の部材であり、その下端部（以下、仕切壁下端部５４という。）は、補助流路キャップ１７において最も下方に突出した部位としている。なお、この仕切壁下端部５４は、後の動作説明において詳説するが、切断溝４０部分における揺動側底壁３８の装着部周壁体３０からの離切及び初期の押込み動作を担う。
【００４１】
また、仕切壁５３の上部には、胴壁体５０の背面方向へ傾斜する仕切壁斜部５５が形成されており、左右の流通溝５２を流通する液体が、相互に接触可能となるよう構成している。
【００４２】
また、胴壁体５０の上部背面側には、半径方向外方へ向けて胴壁体５０の壁を一部肉厚板状に形成した低縁部当接体５７が備えられている。この低縁部当接体５７は、補助流路キャップ１７を補助流路キャップ装着部２１に装着して押下した際に、低縁部３４と当接して、補助流路キャップ１７の更なる押下方向への動きを規制するものである。
【００４３】
また、図５及び図６に示すように、胴壁体５０の背面側には、前述の凸条部３６と嵌合する摺動溝５８が、補助流路キャップ１７の下部から低縁部当接体５７の下端に至るまで、上下方向へ向けて形成されている。
【００４４】
また、胴壁体５０の内部には、図５に示すように、前後上下方向に面の広がりを有する突片支持板５９が配設されており、同突片支持板５９の流通溝５２側端部下方には、係止突片６０が備えられている。
【００４５】
この係止突片６０は、補助流路キャップ１７を補助流路キャップ装着部２１に装着して押下した際に、当接突起部４３と当接可能な位置に配設されている。
【００４６】
また、係止突片６０は、図５に示すように、突片先端部６１と突片斜部６２とを備えている。突片先端部６１は、略水平な面を有する部位であり、後の動作説明において詳説するが、装着部周壁体３０からの離切された揺動側底壁３８の中盤の押込み動作を担う。
【００４７】
また、突片斜部６２は、突片先端部６１から後面方向へ略４５度の角度で登り傾斜とした面を備える部位であり、装着部周壁体３０からの離切された揺動側底壁３８の係止固定を担う。
【００４８】
次に、図７を参照しながら、補助流路キャップ１７によるキャップ本体１５の開栓動作について図７を参照しながら説明する。
【００４９】
図７（ａ）は、キャップ本体１５の補助流路キャップ装着部２１に、補助流路キャップ１７が装着され、開栓動作は行われていない状態を示している。
【００５０】
開栓を行うにあたっては、まず、補助流路キャップ１７の天板５１を押下して、装着部周壁体３０に沿って補助流路キャップ１７を補助流路キャップ装着空間３２内の下方へ向けて移動させる。
【００５１】
このとき、補助流路キャップ１７は、摺動溝５８と凸条部３６とが嵌合して摺動することにより、周回り方向への回転が抑制されて、まっすぐに押し込まれることとなる。
【００５２】
すると、補助流路キャップ１７の仕切壁下端部５４が、揺動側底壁３８の切断溝４０近傍に当接して押圧力が集中し、切断溝４０が切断されて揺動側底壁３８が揺動連結溝４１に枢支された状態で、換言すれば、半円状の揺動側底壁３８の弦の部分が蝶番の如く機能しつつ落とし込まれることとなる。すなわち、仕切壁下端部５４により、切断溝４０部分における揺動側底壁３８の装着部周壁体３０からの離切及び初期の押込み動作が行われる。
【００５３】
引き続き補助流路キャップ１７の押込み動作が行われると、突片先端部６１が第２斜部４５に当接し、図７（ｂ）に示すように、装着部周壁体３０からの離切された揺動側底壁３８の中盤の押込み動作が行われる。
【００５４】
そして、更に補助流路キャップ１７の押込み動作が行われると、補助流路キャップ１７の下部が固定側底壁３７に当接し、また、低縁部当接体５７の下部と低縁部３４とが当接することにより、押込み動作が規制される。
【００５５】
また、低縁部当接体５７の左右両端部と、装着部周壁体３０に形成された段差部３５とが当接することにより、補助流路キャップ１７の周回り方向への回動が規制される。
【００５６】
またこのとき、突片斜部６２と第２斜部４５とが係合することにより、揺動側底壁３８が固定側底壁３７に対して直角に係止される。
【００５７】
このような動作を経ることにより、基部流通空間２８と、流通溝５２とが連通して流通路が形成され、また、注口１３が形成されることとなる。
【００５８】
また、このとき注口１３は、ボトル１１に連通した流通路と、流通路の終端に形成された開口端部とを備えており、開口端部の上端縁と下端縁とには、それぞれ流通路と直角方向に注口フランジ５６とタレ防止フランジ３３とが突設されることとなる。換言すれば、注口フランジ５６とタレ防止フランジ３３との間に一定の注ぎ空間が形成され、注口１３が機能することとなる。
【００５９】
このような構成を備えることにより、液垂れを効果的に防止することができる。
【００６０】
しかも、仕切壁５３には仕切壁斜部５５が形成されているため、流通溝５２を通って注口１３近傍に至った化粧水は、仕切壁５３に阻まれることなく、注口フランジ５６の裏面と広く接触することができ、化粧水の表面張力や粘性により、注口１３における液体の保持効果を強力に生起させることができて、液切れを良好とすることができる。
【００６１】
また、タレ防止フランジ３３は、断面視略円弧状に形成しているため、液切れが良好に行われることとなり、液垂れを更に防止することができる。
【００６２】
上述してきたように、本実施形態に係る液垂れ防止用キャップでは、液体を収容する容器の開口部に注口を有したキャップを着脱自在に装着可能とすると共に、キャップは液体の流通路の中途に形成した開口自在の閉塞体と、流通路の終端部分端面に直角方向に形成したタレ防止フランジと、流通路との間に流通間隙を保持して流通路の終端に嵌着自在とした別体の補助流路キャップと、補助流路キャップの天板を伸延してタレ防止フランジとの間に一定の注ぎ空間を形成する注口フランジと、より構成してなるため、液垂れを効果的に防止することができる。
【００６３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００６４】
１１  ボトル
１２  開口
１３  注口
１５  キャップ本体
１７  補助流路キャップ
３３  タレ防止フランジ
３４  低縁部
３５  段差部
３７  固定側底壁
３８  揺動側底壁
４０  切断溝
４１  揺動連結溝
４３  当接突起部
４４  第１斜部
４５  第２斜部
５１  天板
５２  流通溝
５３  仕切壁
５６  注口フランジ
６０  係止突片
６１  突片先端部
６２  突片斜部
Ａ  キャップ
【図１】
0005852651.tif 000002
【図２】
0005852651.tif 000003
【図３】
0005852651.tif 000004
【図４】
0005852651.tif 000005
【図５】
0005852651.tif 000006
【図６】
0005852651.tif 000007
【図７】
0005852651.tif 000008